(57)【要約】【課題】特に扉体の開放に際し、浴室エアーを脱衣室内に逃がすことにより、扉体の円滑な開放を可能にする浴室折戸を提供することを課題とする。【解決手段】浴室Ａ内に向かって折込み自在に連結した少なくとも２枚の扉体４ａ，４ｂを有する浴室折戸１において、浴室Ａ内と脱衣室Ｂ内とを連通し、浴室エアーを脱衣室Ｂ内に且つ脱衣室エアーを浴室Ａ内に相互に開放するエアー開放口８１と、エアー開放口８１を開閉するダンパー手段８２，８３，８４と、を備え、ダンパー手段８２，８３，８４は、２枚の扉体４ａ，４ｂの完全閉塞状態から開放に向かう初期開放動作に連動して、閉塞状態のエアー開放口８１を開放するものである。【選択図】　図５
2004092055.tif 000002
【特許請求の範囲】
【請求項１】
四周を枠組みした折戸枠と、前記折戸枠に開閉自在に支持した折戸体とから成り、前記折戸体が、浴室内に向かって折込み自在に連結した少なくとも２枚の扉体を有する浴室折戸において、
浴室内と脱衣室内とを連通し、浴室エアーを脱衣室内に且つ脱衣室エアーを浴室内に相互に開放するエアー開放口と、
前記エアー開放口を開閉するダンパー手段と、を備え、
前記ダンパー手段は、前記２枚の扉体の完全閉塞状態から開放に向かう初期開放動作に連動して、閉塞状態の前記エアー開放口を開放することを特徴とする浴室折戸。
【請求項２】
前記エアー開放口は、前記折戸枠の上枠に形成されていることを特徴とする請求項１に記載の浴室折戸。
【請求項３】
前記上枠は、間隙を存して相互に別部材で構成した上部上枠および下部上枠から成り、
前記エアー開放口は、前記上部上枠と前記下部上枠との前記間隙に構成されていることを特徴とする請求項２に記載の浴室折戸。
【請求項４】
前記ダンパー手段は、前記エアー開放口内に架設した水平軸と、
前記水平軸に揺動自在に垂設され、自由状態で中立位置にあって前記エアー開放口を閉塞するダンパーブレードと、を有していることを特徴とする請求項１、２または３に記載の浴室折戸。
【請求項５】
前記エアー開放口は、第１エアー開放口と第２エアー開放口とから成り、
前記ダンパー手段は、前記第１エアー開放口を開閉する第１ダンパー機構と前記第２エアー開放口を開閉する第２ダンパー機構とから成り、
前記第１ダンパー機構は、前記第１エアー開放口内に架設した第１水平軸と、前記第１水平軸に揺動自在に垂設され自由状態で前記第１エアー開放口を閉塞する第１ダンパーブレードと、前記第１ダンパーブレードの浴室側への揺動を阻止する第１ストッパとを有し、
前記第２ダンパー機構は、前記第２エアー開放口内に架設した第２水平軸と、前記第２水平軸に揺動自在に垂設され自由状態で前記第２エアー開放口を閉塞する第２ダンパーブレードと、前記第２ダンパーブレードの脱衣室側への揺動を阻止する第２ストッパと、を有していることを特徴とする請求項１、２または３に記載の浴室折戸。
【請求項６】
前記ダンパー手段は、前記エアー開放口内に架設した水平支軸と、
前記エアー開放口を開放する開放位置と閉塞する閉塞位置との間で、前記水平支軸に回動自在に軸支したダンパーブレードと、
前記２枚の扉体の少なくとも一方に係合し、前記２枚の扉体の初期開放動作で前記ダンパーブレードを開放位置に移動させ、完全閉塞状態に向かう終期閉塞動作で前記ダンパーブレードを閉塞位置に移動させる連動機構と、を有していることを特徴とする請求項２または３に記載の浴室折戸。
【請求項７】
前記連動機構は、見込み方向において前記上枠に進退自在に取り付けたスライド部材と、
前記スライド部材の進退に伴って、前記ダンパーブレードを開放位置と閉塞位置との間で移動させる操作部材と、を有していることを特徴とする請求項６に記載の浴室折戸。
【請求項８】
前記スライド部材は、前記２枚の扉体の一方に設けた折戸ラッチに係脱することを特徴とする請求項７に記載の浴室折戸。
【発明の詳細な説明】
【０００１】
【発明の属する技術分野】
本発明は、浴室の出入口として脱衣室との間に設けられる浴室折戸に関する。
【０００２】
【従来の技術】
従来の浴室折戸として、例えば特開平９−３０３０５９号公報に記載のものが知られている。この浴室折戸は、いわゆる２枚折戸であり、折戸枠と、ヒンジ部分で連結した２枚の扉体とで構成され、戸尻側縦框を中心に、２枚の扉体を浴室内に折り込むようにして開放される。また、２枚の扉体のそれぞれの下框には、浴室と脱衣室とを連通する換気口が形成されている。
【０００３】
【発明が解決しようとする課題】
ところで、この種の浴室折戸では、２枚の扉体がその連結部分から浴室内に突出するように折り込まれて開放されるため、開放の初期段階において、２枚の扉体が浴室エアーを圧縮することになり、初期開放操作に大きな力を要する問題があった。
すなわち、水密性および気密性の高い浴室折戸では、開放の初期段階における浴室エアーの逃げ場、例えば折戸枠と扉体の開放間隙や換気口等の逃げ場の面積が、２枚の扉体の押込み体積に比して極端に小さいため、初期開放操作において、各部の摺動抵抗やラッチの離脱抵抗に加え、浴室エアーの圧縮抵抗が大きく働き、初期開放操作が重くなる問題があった。特に、バリアフリーを考慮した間口の広い２枚折戸では、これら浴室エアーの抵抗により扉体の開放が重くなる不具合が生ずる。なお、終期閉塞操作においても、浴室エアーの真空抵抗が働くが、この場合には、２枚折戸の慣性により初期開放時ほど問題となることはない。
【０００４】
本発明は、特に扉体の開放に際し、浴室エアーを脱衣室内に逃がすことにより、扉体の円滑な開放を可能にする浴室折戸を提供することをその課題とする。
【０００５】
【課題を解決するための手段】
本発明の浴室折戸は、四周を枠組みした折戸枠と、折戸枠に開閉自在に支持した折戸体とから成り、折戸体が、浴室内に向かって折込み自在に連結した少なくとも２枚の扉体を有する浴室折戸において、浴室内と脱衣室内とを連通し、浴室エアーを脱衣室内に且つ脱衣室エアーを浴室内に相互に開放するエアー開放口と、エアー開放口を開閉するダンパー手段と、を備え、ダンパー手段は、２枚の扉体の完全閉塞状態から開放に向かう初期開放動作に連動して、閉塞状態のエアー開放口を開放することを特徴とする。
【０００６】
この構成によれば、ダンパー手段が、２枚の扉体の完全閉塞状態から開放に向かう初期開放動作に連動して、エアー開放口を開放するため、初期開放動作において、２枚の扉体により圧縮された浴室エアーは、エアー開放口を介して脱衣室内に瞬時に開放される。すなわち、２枚の扉体の初期開放動作に連動して、浴室エアーが脱衣室内に逃げることになり、浴室エアーの圧力上昇が抑制される。また、エアー開放口は、２枚の扉体が閉塞状態にあるときには閉塞してしるため、この部分から湯気が脱衣室に流入することはない。なお、エアー開放口の開口面積は、浴室エアーを円滑に流すべく、扉体に形成される換気口の開口面積に比して、極端に大きなものとなる。
【０００７】
この場合、エアー開放口は、折戸枠の上枠に形成されていることが、好ましい。
【０００８】
またこの場合、上枠は、間隙を存して相互に別部材で構成した上部上枠および下部上枠から成り、エアー開放口は、上部上枠と下部上枠との間隙に構成されていることが、好ましい。
【０００９】
これらの構成によれば、エアー開放口を扉体に形成する場合に比して、十分な開口面積のエアー開放口を、目立たないように且つ簡単に形成することができる。
【００１０】
これらの場合、ダンパー手段は、エアー開放口内に架設した水平軸と、水平軸に揺動自在に垂設され、自由状態で中立位置にあってエアー開放口を閉塞するダンパーブレードと、を有していることが好ましい。
【００１１】
この構成によれば、自由状態でエアー開放口を閉塞しているダンパーブレードは、２枚の扉体の初期開放動作で、脱衣室側に揺動して浴室エアーを脱衣室に開放する。また、ダンパーブレードは、２枚の扉体の完全閉塞状態に向かう終期閉塞動作で、浴室側に揺動して脱衣室エアーを浴室に開放する。すなわち、２枚の扉体の初期開放動作で、正圧となる浴室から浴室エアーを、エアー開放口を介して脱衣室に流出させ、終期閉塞動作で、負圧となる浴室にエアー開放口を介して脱衣室エアーを流入させる。これにより、浴室と脱衣室のエアー圧が一定に保たれ、２枚の扉体の開閉動作において、エアーの影響を排除することができる。
【００１２】
同様に、エアー開放口は、第１エアー開放口と第２エアー開放口とから成り、ダンパー手段は、第１エアー開放口を開閉する第１ダンパー機構と第２エアー開放口を開閉する第２ダンパー機構とから成り、第１ダンパー機構は、第１エアー開放口内に架設した第１水平軸と、第１水平軸に揺動自在に垂設され自由状態で第１エアー開放口を閉塞する第１ダンパーブレードと、第１ダンパーブレードの浴室側への揺動を阻止する第１ストッパとを有し、第２ダンパー機構は、第２エアー開放口内に架設した第２水平軸と、第２水平軸に揺動自在に垂設され自由状態で第２エアー開放口を閉塞する第２ダンパーブレードと、第２ダンパーブレードの脱衣室側への揺動を阻止する第２ストッパと、を有していることが好ましい。
【００１３】
この構成によれば、２枚の扉体の完全閉塞状態から開放に向かう初期開放動作では、自由状態でエアー開放口を閉塞している第１ダンパーブレードは、脱衣室側に揺動して浴室エアーを脱衣室に開放する一方、第２ダンパーブレードは第２ストッパにより閉塞位置を維持する。同様に、２枚の扉体の完全閉塞状態に向かう終期閉塞動作では、自由状態でエアー開放口を閉塞している第２ダンパーブレードは、浴室側に揺動して脱衣室エアーを浴室に開放する一方、第１ダンパーブレードは第１ストッパにより閉塞位置を維持する。すなわち、２枚の扉体の初期開放動作で、正圧となる浴室から浴室エアーを、第１エアー開放口を介して脱衣室に流出させ、終期閉塞動作で、負圧となる浴室に第２エアー開放口を介して脱衣室エアーを流入させる。これにより、浴室と脱衣室のエアー圧が一定に保たれ、２枚の扉体の開閉動作において、エアーの影響を排除することができる。なお、第１水平軸と第２水平軸とは、単一の水平軸で共用することが可能であり、同様に第１ストッパと第２ストッパも共用可能である。
【００１４】
同様に、ダンパー手段は、エアー開放口内に架設した水平支軸と、エアー開放口を開放する開放位置と閉塞する閉塞位置との間で、水平支軸に回動自在に軸支したダンパーブレードと、２枚の扉体の少なくとも一方に係合し、２枚の扉体の初期開放動作でダンパーブレードを開放位置に移動させ、完全閉塞状態に向かう終期閉塞動作でダンパーブレードを閉塞位置に移動させる連動機構と、を有していることが、好ましい。
【００１５】
この構成によれば、２枚の扉体の少なくとも一方に係合する連動機構により、２枚の扉体の初期開放動作でダンパーブレードは開放位置に移動して、浴室エアーを脱衣室内に開放し、終期閉塞動作でダンパーブレードが閉塞位置に移動して、脱衣室エアーを浴室内に開放する。これにより、浴室と脱衣室のエアー圧が一定に保たれ、２枚の扉体の開放動作において、エアーの影響を排除することができる。また、終期閉塞動作により、開放したエアー開放口を自動的に閉塞することができる。
【００１６】
この場合、連動機構は、見込み方向において上枠に進退自在に取り付けたスライド部材と、スライド部材の進退に伴って、ダンパーブレードを開放位置と閉塞位置との間で移動させる操作部材と、を有していることが好ましい。
【００１７】
この構成によれば、２枚の扉体の初期開放動作で、スライド部材が前進し、操作部材を介してダンパーブレードが開放位置に移動する。同様に、２枚の扉体の終期閉塞動作で、スライド部材が後退し、操作部材を介してダンパーブレードが閉塞位置に移動する。すなわち、連動機構により、２枚の扉体の開閉に連動してダンパーブレードを機械的に開閉動作させるようにしているため、エアー開放口の開閉を確実に行うことができる。
【００１８】
この場合、スライド部材は、２枚の扉体の一方に設けた折戸ラッチに係脱することが、好ましい。
【００１９】
この構成によれば、折戸ラッチの係脱に伴って、ダンパーブレードの開閉動作を行うことができる。また、折戸ラッチは、扉体の上端から突出しているため、連動機構を上枠に容易に組み込むことができる。さらに、折戸ラッチは、２枚の扉体の左右の略中間位置に配設されているため、上枠の左右方向に延在するダンパーブレードに対し、これをバランスよく開閉することができる。
【００２０】
【発明の実施の形態】
以下、添付図面を参照して、本発明の一実施形態に係る浴室折戸（以下、「折戸」という。）について説明する。この浴室は、介護者等の出入りを考慮してその有効開口幅を比較的広く形成すると共に、これに設けた折戸の開閉が円滑に行えるように構成したものである。図１は、脱衣室側から見た折戸の姿図であり、同図に示すように、折戸１は、折戸枠２と、折戸枠２に開閉自在に装着した折戸本体３と、で構成されている。折戸本体３は、２枚折戸体４（戸先側扉体４ａおよび戸尻側扉体４ｂ）と、２枚折戸体４の両外端部にそれぞれ回動自在に連結した左右一対の袖枠（戸先側袖枠５ａおよび戸尻側袖枠５ｂ）５，５と、で構成されている。
【００２１】
図１ないし図４に示すように、２枚折戸体４は、戸先側扉体４ａおよび戸尻側扉体４ｂを突き合わせ、連結金具７を介して折曲げ自在に連結されている。戸先側扉体４ａの戸先縦框（後述する）１３には、その浴室Ａ側に大型の内ハンドル８ａが取り付けられ、同様にその脱衣室Ｂ側に大型の外ハンドル８ｂが取り付けられている。また、戸先側扉体４ａの連結縦框（後述する）１４には、戸先側に向かって延在する補助ハンド９が取り付けられている。内ハンドル８ａは戸尻側に向かって斜めに延在すると共に、外ハンドル８ｂは戸先側に向かって斜めに延在しており、内外各ハンドル８ａ，８ｂは、２枚折戸体４の初期開放時に戸先縦框１３を介して戸先側扉体４ｂに折込み力（偶力）を作用させ得るようになっている。
【００２２】
戸先側扉体４ａは、いずれもアルミニウムの形材で構成した、上框１１と、換気口１２ａを形成した下框１２と、戸尻縦框１３および連結縦框１４とを框組みすると共に、これにパネル体１５を嵌め込んで構成されている。同様に、戸尻側扉体４ｂは、上框２１と、換気口２２ａを形成した下框２２と、戸尻縦框２３および連結縦框２４とを框組みすると共に、これにパネル体２５を嵌め込んで構成されている。そして、戸先側扉体４ａの連結縦框１４には、その上下の小口部分に上折戸ラッチ１７および下折戸ラッチ１８がそれぞれ取り付けられている。なお、戸尻側扉体４ｂのパネル体２５は、枠付のもので構成されており、上框２１、下框２２、戸尻縦框２３および連結縦框２４から成る框体に対し、着脱可能に装着されている（緊急時脱出用）。
【００２３】
左右一対の袖枠５，５は、同一のアルミニウム等の中空形材で形成され、左右を反転して用いられており、各袖枠５には、見付け方向の外側に位置して戸車形式のスライダ３１が上下に取り付けられている。ただし、実施形態の折戸本体３は左勝手となっており、左側の戸尻側袖枠５ｂは折戸枠（縦枠４３）２に固定されている。戸先側袖枠５ａと２枚折戸体４の戸先側扉体４ａとは、回動機構３２を介して折込み方向に略９０°回動可能に連結され、同様に戸尻側袖枠５ｂと２枚折戸体４の戸尻側扉体４ｂとは、回動機構３２を介して折込み方向に略９０°回動可能に連結されている。
【００２４】
内外各ハンドル８ａ，８ｂを持って２枚折戸体４を開放動作させると、開放初期に折込み力（偶力）を作用させながら、２枚折戸体４を浴室Ａ側に折り込んでゆくことになる。２枚折戸体４の折込み動作は、戸先側袖枠５ａを介して折戸枠２にガイドされ、戸先側扉体４ａおよび戸尻側扉体４ｂが２つ折りに折り畳まれてゆくと同時に、戸先側袖枠４ａは戸尻側に向かって移動してゆく。そして最終的に、重なるように折り畳まれた２枚折戸体４の基部に、両袖枠５ａ，５ｂが直線上に並ぶ、完全開放形態となる（図４参照）。また逆の手順で、２枚折戸体４を閉塞動作させると、最終的に、２枚折戸体４と両袖枠５ａ，５ｂとが、直線上に並ぶ完全閉塞状態となる（図３参照）。
【００２５】
折戸枠２は、いずれもアルミニウムの形材で構成した、上枠４１、下枠４２および両縦枠４３，４３を四周枠組みして構成されており、詳細は後述するが、上枠４１にはエアー開放機構１０が組み込まれている。この場合、折戸枠２は、いわゆる縦枠４３通しとなっており、上枠４１おび下枠４２は、その両小口を両縦枠４３，４３に突き当てるようにして、枠組みされている。
【００２６】
上枠４１は、間隙を存して相互に平行に配設した上部上枠４１ａと下部上枠４１ｂとから成り、この間隙に後述するエアー開放機構１０のエアー開放口８１が構成されている。上部上枠４１ａは、浴室Ａ側に形成した縦長中空部４５と、縦長中空部４５の下端から脱衣室Ｂ側に水平に延びる上部水平片４６と、上部水平片４６の見込み方向中間位置に形成した下面シール取付け部４７とで、一体に形成されており、上部シール取付け部４７には下向きシール片４８が装着されている。
【００２７】
下部上枠４１ｂは、脱衣室Ｂ側に形成した断面逆「Ｌ」字状のＬ字中空部５１と、Ｌ字中空部５１の上端から浴室Ａ側に水平に延びると共に上面に浅溝部５２ａを形成した下部水平片５２と、下部水平片５２の浴室Ａ側端部に連なる山形片５３と、下部水平片５２の浴室Ａ側に下向きに形成した上レール部５４とで、一体に形成されている。Ｌ字中空部５１の下部浴室Ａ側には、浴室Ａ側に向かって突出する横向きシール片５５が装着されている。
【００２８】
下枠４２は、下枠本体５７と、下枠本体５７の底部に抜止め状態で装着した取付けブロック５８と、取付けブロック５８に固定したレールアタッチメント５９と、下枠本体５７と浴室床間に渡したブリッジ片６０とで構成されている。この場合、下枠本体５７とレールアタッチメント５９は、アルミニウム等の形材で構成され、ブリッジ片６０は樹脂等で構成されている。また、取付けブロック５８は、樹脂等で構成したいわゆるピースものであり、下枠４２の見付け方向（長手方向）に複数個配設されている。
【００２９】
レールアタッチメント５９は、見込み方向の両端部で下枠本体５７の内側に係止され、この状態で脱衣室Ｂ側の下片で取付けブロック５８にビス止めされている。そして、レールアタッチメント５９の見込み方向中間位置には、上記の上レール部５４に対応する下レール部６１が上向きに突設されている。また、ブリッジ片６０は、下枠本体５７の浴室Ａ側上部に押し込み形式で着脱自在に装着されている。下枠本体５７は、全体として溝状断面を有し、脱衣室Ｂ側には下枠中空部６２が形成されている。また、下枠中空部６２の上側には、下枠シール片６３を取り付けるためのシール取付け部６４と、脱衣室Ｂ側に水平に延びる床固定片６５とが形成されている。
【００３０】
各縦枠４３は、見込み方向に延在する板状の縦枠本体６７と、縦枠本体６７の浴室Ａ側から外側に「Ｌ」字状に折り返して形成したバス連結片６８と、縦枠本体６７の内側に突設した前後一対の呑込み片６９，６９とで、一体に形成されている。脱衣室Ｂ側の呑込み片６９の先端部には、内向きの縦枠シール片７０が装着されており、縦枠シール片７０は、両呑込み片６９，６９間に挿入された袖枠５の端部に密接するようになっている。
【００３１】
ここで、本発明の要部を構成するエアー開放機構１０について説明する。図５および図６に示すように、エアー開放機構１０は、上部上枠４１ａおよび下部上枠４１ｂ間に構成したエアー開放口８１と、エアー開放口８１を開閉するダンパーブレード８２と、ダンパーブレード８２を開閉自在に支持する水平支軸８３と、２枚折戸体４の開閉に連動してダンパーブレード８２を開閉動作させる連動機構８４とで、構成されている。
【００３２】
エアー開放口８１を構成する上部上枠４１ａと下部上枠４１ｂとの間隙の両端部には、各縦枠に添設するように左右一対の軸受けプレート８６，８６が設けられており、この一対の軸受けプレート８６に水平支軸８３が両持ちで支持されている。各軸受けプレート８６の表面には、軸受け孔の他、ダンパーブレード８２の開放位置および閉塞位置を位置規制する２つの規制部８６ａ，８６ｂが突設されている。
【００３３】
ダンパーブレード８２は、アルミニウム等の形材で板状に形成されており、中間部の下面に形成した軸着部８７により、水平支軸８３に回動自在に軸支されている。この場合、ダンパーブレード８２は、斜め姿勢（略４５°）となる閉塞位置（図５参照）と、水平姿勢となる開放位置（図６参照）との間で回動する。もっとも、ダンパーブレード８２の上端部は幾分厚肉に形成されており、これにより水平支軸８３を中心とするダンパーブレード８２の上半部は下半部より十分に重くなって、自由状態では水平姿勢（開放位置）を維持する。
【００３４】
開放位置のダンパーブレード８２は、エアー開放口８１を介して浴室エアーを脱衣室Ｂに、或いは脱衣室エアーを浴室Ａに開放する。また、閉塞位置に回動したダンパーブレード８２は、その上端部が上記の下向きシール片４８に密接し、下端部が図示しないシール部材を介して下部上枠４１ｂの山形片５３に密接する。これにより、ダンパーブレード８２の閉塞時に、エアー開放口８１から湯気等が脱衣室Ｂに流れ込むのを防止している。なお、上記の図示しないシール部材は、山形片５３に取り付けられるものであってもよいし、ダンパーブレード８２の下端部に取り付けられるものであってもよい。
【００３５】
図５、図６および図７に示すように、連動機構８４は、下部上枠４１ｂの見付け方向の略中間部において、下部水平片５２に形成した浅溝部５２ａに着座するようにして装着されており、その入力端が上記の上折戸ラッチ１７に当接し、出力端がダンパーブレード８２に当接している。すなわち、連動機構８４は、上記の浅溝部５２ａに着座するベースブロック９１と、ベースブロック９１にスライド自在に装着したスライド部材９２と、スライド部材９２の進退動に伴って回動する操作部材９３とで構成されており、スライド部材９２の下端部が上折戸ラッチ１７のラッチホルダ１７ａに当接し、操作部材９３の先端部がダンパーブレード８２の上半部下面に当接している。なお、連結機構８４は、軸やピンを除き、構成部品を樹脂で構成することが、好ましい。
【００３６】
ベースブロック９１は、浅溝部５２ａに固定される厚板上のブロック本体９５と、ブロック本体９５上に立設した左右一対のリブ状突起部９６，９６とで一体に形成されている。一対のリブ状突起部９６，９６は、相互に平行に且つ見込み方向に延在しており、その内側にはスライド部材９２のスライドを案内するガイド溝９７がそれぞれ形成されている。
【００３７】
操作部材９３は、上記一対のリブ状突起部９６，９６間に挿入される操作部材本体９９と、操作部材本体９９の脱衣側部位から上側に突出してダンパーブレード８２に当接する操作部（先端部）１００とで一体に形成されている。操作部材本体９９には支軸１０１が水平に貫通し、この支軸１０１の両端が一対のリブ状突起部９６，９６に固定されている。これにより、操作部材９３は、ダンパーブレード８２を閉塞位置に回動させる起立位置（図５および図７（ｂ））と、開放位置に回動させる横臥位置（図６および図７（ａ））との間で回動する。また、操作部材本体９９には、支軸１０１の貫通部の斜め下側に位置して、支軸１０１に平行に長孔１０２が形成されおり、この長孔１０２に後述するスライド部材９２の前ガイドピン１０７が挿通している。
【００３８】
スライド部材９２は、上記一対のリブ状突起部９６，９６間に位置するスライド部材本体１０４と、スライド部材本体１０４からベースブロック９１および上記の下部水平片５２を貫通して、下部水平片５２の下方に延びる当接部１０５とで一体に形成されており、この当接部１０５の先端が上折戸ラッチ１７に当接している。スライド部材本体１０４の上面には、操作部材９３が臨む窪入部１０６が形成されると共に、その前後両端部にそれぞれ前ガイドピン１０７および後ガイドピン１０８が固定されている。そして、前ガイドピン１０７の外端部および後ガイドピン１０８の外端部が、一対のリブ状突起部９６，９６にそれぞれ形成したガイド溝９７，９７にスライド自在に係合している。
【００３９】
スライド部材９２が浴室Ａ側に前進することにより、前ガイドピン１０７が長孔１０２を介して操作部材９３を起立位置に回動させ、脱衣室Ｂ側に後退することにより、前ガイドピン１０７が長孔１０２を介して操作部材９３を横臥位置に回動させる。すなわち、スライド部材９２が前進することにより、操作部材９３を介してダンパーブレード８２が開放動作し、後退することにより、操作部材９３を介してダンパーブレード８２が閉塞動作する。
【００４０】
２枚折戸体（折戸本体３）４が完全に閉塞している状態では、上折戸ラッチ１７に当接しているスライド部材９２が後退位置にあり、且つ操作部材９３が起立位置にあって、ダンパーブレード８２はエアー開放口８１を閉塞している。また、上述したように、ダンパーブレード８２はその水平支軸８３より上側に重心が有って、操作部材９３を横臥位置に向かって付勢している。
【００４１】
この状態から、２枚折戸体（折戸本体３）４を開放してゆくと、先ず上折戸ラッチ１７が上レール部５４から浴室Ａ側に離脱するが、この初期開放動作により、スライド部材９２が前進すると共に操作部材９３が横臥位置に回動して、ダンパーブレード８２が水平姿勢となってエアー開放口８１を開放する。一方、完全閉塞状態に向かう２枚折戸体（折戸本体３）４の終期閉塞動作では、上折戸ラッチ１７が上レール部５４に係合することにより、スライド部材９２が後退すると共に操作部材９３が起立位置に回動して、ダンパーブレード８２が斜め姿勢となってエアー開放口８１を閉塞する。
【００４２】
このように、２枚折戸体（折戸本体３）４の初期開放動作に連動してエアー開放口８１を開放することにより、浴室エアーが脱衣室Ｂに開放される。このため、２枚折戸体（折戸本体３）４の開放に際し、浴室エアーの圧縮抵抗を極力排除することができるため、２枚折戸体（折戸本体３）４を軽い力で簡単に開放することができる。また、２枚折戸体（折戸本体３）４の終期閉塞動作に連動して、開放したエアー開放口８１を自動的に閉塞することができる。
【００４３】
次に、図８を参照して、エアー開放機構１０の第２実施形態について説明する。この実施形態では、水平支軸（水平軸）１８３が上部上枠（上部水平片４６）４１ａの下面近傍に配設されると共に、ダンパーブレード１８２がこの水平支軸１８３に揺動自在に垂設されている。この場合、第１実施形態と異なり、下部上枠４１ｂの浅溝部５２ａは無く、下部水平片５２の上面は平坦に形成されている。また、下向きシール片４８は、ダンパーブレード１８２の上端に接触するモヘアで構成されている。なお、ダンパーブレード１８２の下端にもモヘアを接触させるようにしてもよい。
【００４４】
このような構成では、ダンパーブレード１８２は、その自重により自由状態でエアー開放口８１を閉塞しているが、２枚折戸体（折戸本体３）４の初期開放動作により、浴室エアーが圧縮され浴室Ａ内が正圧になると、この浴室エアーがダンパーブレード１８２を脱衣室Ｂ側に揺動させ、エアー開放口８１を開放する。同様に、２枚折戸体（折戸本体３）４の終期閉塞動作により、浴室Ａ内が負圧になると、この脱衣室エアーがダンパーブレード１８２を浴室Ａ側に揺動させ、エアー開放口８１を開放する。
【００４５】
次に、図９を参照して、エアー開放機構１０の第３実施形態について説明する。この実施形態では、水平支軸（水平軸）１８３が上部上枠（上部水平片４６）４１ａの下面近傍に配設されると共に、浴室開放ブレード２８２ａおよび脱衣室開放ブレード２８２ｂから成る左右一対のダンパーブレード２８２ａ，２８２ｂがこの水平支軸１８３に揺動自在に垂設されている。すなわち、エアー開放口８１は、自由状態にある浴室開放ブレード２８２ａが左右一方の半部を閉塞し、脱衣室開放ブレード２８２ｂが他方の半部を閉塞している。また、下部上枠４１ｂの下部水平片５２の上面には、ストッパ部１１１が突設されており、このストッパ部１１１を挟んで、浴室開放ブレード２８２ａの下端部が脱衣室Ｂ側に位置し、脱衣室開放ブレード２８２ｂの下端部が浴室Ａ側に位置している。なお、図示しないが、各開放ブレード２８２ａ，２８２ｂとストッパ部１１１との間には、シール部材を介設することが、好ましい。
【００４６】
このような構成では、両開放ブレード２８２ａ，２８２ｂは、その自重により自由状態でエアー開放口８１を閉塞しているが、２枚折戸体（折戸本体３）４の初期開放動作により、浴室Ａ内が正圧になると、この浴室エアーが浴室開放ブレード２８２ａを脱衣室Ｂ側に揺動させ、エアー開放口８１を開放する。同様に、２枚折戸体（折戸本体３）４の終期閉塞動作により、浴室Ａ内が負圧になると、脱衣室エアーが脱衣室開放ブレード２８２ｂを浴室Ａ側に揺動させ、エアー開放口８１を開放する。
【００４７】
したがって、第２および第３実施形態においても、２枚折戸体（折戸本体３）４の初期開放動作および終期閉塞動作において、エアーの影響を極力排除することができるため、２枚折戸体（折戸本体３）４を比較的小さな力で円滑に開閉することができる。
【００４８】
【発明の効果】
以上のように本発明の浴室折戸によれば、２枚の扉体の初期開放動作に連動して、浴室エアーを脱衣室内に逃がすことができるので、扉体の開放に伴う浴室エアーの圧縮抵抗が抑制される。このため、扉体の円滑な開放が可能になり、特に間口を広くすべく大きな扉体を採用しても、これを簡単に開放することができる。
【図面の簡単な説明】
【図１】本発明の一実施形態に係る折戸の脱衣室側から見た姿図である。
【図２】実施形態に係る折戸の閉塞状態の縦断面図である。
【図３】実施形態に係る折戸の閉塞状態の横断面図である。
【図４】実施形態に係る折戸の開放状態の横断面図である。
【図５】実施形態に係る折戸のエアー開放機構廻り（閉塞状態）の拡大縦断面図である。
【図６】実施形態に係る折戸のエアー開放機構廻り（開放状態）の拡大縦断面図である。
【図７】エアー開放機構における連動機構の全体斜視図である。
【図８】第２実施形態に係るエアー開放機構廻りの拡大縦断面図である。
【図９】第３実施形態に係るエアー開放機構廻りの拡大縦断面図である。
【符号の説明】
１　折戸、２　折戸枠、３　折戸本体、４　２枚折戸体、４ａ　戸先側扉体、４ｂ　戸尻側扉体、５　袖枠、５ａ　戸先側袖枠、５ｂ　戸尻側袖枠、１０　エアー開放機構、１７　上折戸ラッチ、４１　上枠、４１ａ　上部上枠、４１ｂ　下部上枠、５２ａ　浅溝部、５４　上シール部、８１　エアー開放口、８２　ダンパーブレード、８３　水平支軸、８４　連動機構、９１　ベースブロック、９２　スライド部材、９３　操作部材、１１１　ストッパ部（第１、第２ストッパ）、１８２　ダンパーブレード、１８３　水平支軸（第１、第２水平軸）、２８２ａ　浴室開放ダンパー（第１ダンパーブレード）、２８２ｂ　脱衣室開放ダンパー（第１ダンパーブレード）、Ａ　浴室、Ｂ　脱衣室
【図１】
2004092055.tif 000003
【図２】
2004092055.tif 000004
【図３】
2004092055.tif 000005
【図４】
2004092055.tif 000006
【図５】
2004092055.tif 000007
【図６】
2004092055.tif 000008
【図７】
2004092055.tif 000009
【図８】
2004092055.tif 000010
【図９】
2004092055.tif 000011